(57)【要約】【課題】軽量鉄骨下地に内装ボードを張り付けて内装下地を形成する際に遮音性や耐火性の低下を招くことなく内装下地を形成することのできる内装施工方法を提供する。【解決手段】複数枚の内装ボードを軽量鉄骨下地に張り付けて内装下地を形成するに際して、大形の内装ボードＢを用いるとともに、内装ボードを軽量鉄骨下地に張り付けるボード張付け装置として、ボード吸引保持機構２と、ボード吸引保持機構２に保持された内装ボードの位置を調整するボード位置調整機構３と、ボード吸引保持機構２に保持された内装ボードを軽量鉄骨下地に押し付けるボード押付け機構４と、軽量鉄骨下地に押し付けられた内装ボードを複数の止め具により軽量鉄骨下地に止着するボード止着機構５と、ボード吸引保持機構２、ボード位置調整機構３、ボード押付け機構４およびボード止着機構５を内装ボードの張付け作業現場へ移送する移送台車６とを備えたものを用いる。【選択図】図１
2013068019.tif 000002
【特許請求の範囲】
【請求項１】
複数枚の内装ボードを軽量鉄骨下地に張り付けて内装下地を形成し、該内装下地の表面に内装仕上げを施す内装施工方法において、
前記内装ボードとして大判の内装ボードを用いるとともに、前記内装ボードを前記軽量鉄骨下地に張り付けるボード張付け装置として、前記内装ボードを吸引して保持するボード吸引保持機構と、該ボード吸引保持機構に保持された内装ボードの位置を調整するボード位置調整機構と、前記ボード吸引保持機構に保持された内装ボードを前記軽量鉄骨下地に押し付けるボード押付け機構と、該ボード押付け機構により前記軽量鉄骨下地に押し付けられた内装ボードを複数の止め具により軽量鉄骨下地に止着するボード止着機構と、前記ボード吸引保持機構、前記ボード位置調整機構、前記ボード押付け機構および前記ボード止着機構を前記内装ボードの張付け作業現場へ移送する移送台車とを備えたものを用い、前記大判の内装ボードを前記ボード吸引保持機構により吸引保持した後、前記内装ボードの位置を前記ボード位置調整機構により調整し、次いで前記内装ボードを前記ボード押付け機構により軽量鉄骨下地に押し付けた後、前記内装ボードを前記ボード止着機構により前記軽量鉄骨下地に止着して内装下地を形成することを特徴とする内装施工方法。
【請求項２】
前記大判の内装ボードとしてサイズが９００×１８００ｍｍの内装ボードを用いることを特徴とする請求項１に記載の内装施工方法。
【請求項３】
前記大判の内装ボードとしてサイズが９００×２４００ｍｍの内装ボードを用いることを特徴とする請求項１に記載の内装施工方法。
【請求項４】
前記大判の内装ボードとしてサイズが９００×２７００ｍｍの内装ボードを用いることを特徴とする請求項１に記載の内装施工方法。
【請求項５】
前記大判の内装ボードとしてサイズが９００×３６００ｍｍの内装ボードを用いることを特徴とする請求項１に記載の内装施工方法。
【請求項６】
前記大判の内装ボードとしてサイズが９００×３８００ｍｍの内装ボードを用いることを特徴とする請求項１に記載の内装施工方法。
【請求項７】
前記大判の内装ボードとしてサイズが９００×４１００ｍｍの内装ボードを用いることを特徴とする請求項１に記載の内装施工方法。
【発明の詳細な説明】
【技術分野】
【０００１】
本発明は、鉄筋コンクリート構造や鉄骨構造の建物を内装するときに用いられる内装施工方法に関するものである。
【背景技術】
【０００２】
一般に、鉄筋コンクリート構造や鉄骨構造の建物では、石膏ボードなどの内装ボードが張り付けられる下地として軽量鉄骨下地が用いられ、この軽量鉄骨下地に複数枚の内装ボードを張り付けて内装下地を形成している場合が多い（例えば、特許文献１参照）。そして、このような方法で形成された内装下地の表面に壁クロスや天井クロスなどの内装仕上げ材を貼り付けている場合には、室内の気密性や遮音性等を保つために、軽量鉄骨下地に張り付けられた内装ボードの継ぎ目に目地処理を施してから内装下地の表面に内装仕上げ材を貼り付けている（例えば、特許文献２参照）。
【０００３】
ところで、軽量鉄骨下地に内装ボードを張り付ける場合、従来では、ボード張り作業者が内装ボードを張り付け位置まで持ち上げて軽量鉄骨下地に張り付けている。このため、軽量鉄骨下地に張り付けられる内装ボードとして、ボード張り作業者が内装ボードを張り付け位置まで持ち上げることのできるサイズ（例えば６００×１８００ｍｍ）のものが用いられている。
【先行技術文献】
【特許文献】
【０００４】
【特許文献１】特開平０９−７８７９２号公報（０００２、図１７）
【特許文献２】特開２０００−８７５２６号公報（０００２）
【発明の概要】
【発明が解決しようとする課題】
【０００５】
しかしながら、ボードサイズが６００×１８００ｍｍの内装ボードを軽量鉄骨下地に張り付けると、内装ボード間に多数の継ぎ目が発生し、内装ボードを軽量鉄骨下地に張り付け後に目地処理（パテ処理）を全ての継ぎ目に施す必要がある。このため、目地処理が不十分であると、内装下地の遮音性や耐火性が低下してしまうという問題があった。
この問題を解決する方策として、ボードサイズが大形のものを使用することが考えられるが、例えばボードサイズが９００×１８００ｍｍのものでは重量が約３０ｋｇ、９００×２７００ｍｍのものでは重量が約４５ｋｇ、９００×３６００ｍｍのものでは重量が約６０ｋｇとなってしまい、ボード張り作業者が内装ボードを持ち上げることが困難となるという問題が生じる。
【０００６】
本発明は上述した問題点に鑑みてなされたものであり、複数枚の内装ボードを軽量鉄骨下地に張り付けて内装下地を形成する際に遮音性や耐火性の低下を招くことなく内装下地を形成することのできる内装施工方法を提供することを目的とするものである。
【課題を解決するための手段】
【０００７】
上記課題を解決するために、請求項１の発明は、複数枚の内装ボードを軽量鉄骨下地に張り付けて内装下地を形成し、該内装下地の表面に内装仕上げを施す内装施工方法において、前記内装ボードとして大判の内装ボードを用いるとともに、前記内装ボードを前記軽量鉄骨下地に張り付けるボード張付け装置として、前記内装ボードを吸引して保持するボード吸引保持機構と、該ボード吸引保持機構に保持された内装ボードの位置を調整するボード位置調整機構と、前記ボード吸引保持機構に保持された内装ボードを前記軽量鉄骨下地に押し付けるボード押付け機構と、該ボード押付け機構により前記軽量鉄骨下地に押し付けられた内装ボードを複数の止め具により軽量鉄骨下地に止着するボード止着機構と、前記ボード吸引保持機構、前記ボード位置調整機構、前記ボード押付け機構および前記ボード止着機構を前記内装ボードの張付け作業現場へ移送する移送台車とを備えたものを用い、前記大判の内装ボードを前記ボード吸引保持機構により吸引保持した後、前記内装ボードの位置を前記ボード位置調整機構により調整し、次いで前記内装ボードを前記ボード押付け機構により軽量鉄骨下地に押し付けた後、前記内装ボードを前記ボード止着機構により前記軽量鉄骨下地に止着して内装下地を形成することを特徴とする。
【０００８】
請求項２の発明は、前記大判の内装ボードとしてサイズが９００×１８００ｍｍの内装ボードを用いることを特徴とする。
請求項３の発明は、前記大判の内装ボードとしてサイズが９００×２４００ｍｍの内装ボードを用いることを特徴とする。
請求項４の発明は、前記大判の内装ボードとしてサイズが９００×２７００ｍｍの内装ボードを用いることを特徴とする。
【０００９】
請求項５の発明は、前記大判の内装ボードとしてサイズが９００×３６００ｍｍの内装ボードを用いることを特徴とする。
請求項６の発明は、前記大判の内装ボードとしてサイズが９００×３８００ｍｍの内装ボードを用いることを特徴とする。
請求項７の発明は、前記大判の内装ボードとしてサイズが９００×４１００ｍｍの内装ボードを用いることを特徴とする。
【発明の効果】
【００１０】
本発明によれば、内装ボードを軽量鉄骨下地に張り付けたときに内装ボードの継ぎ目が従来よりも減少するので、複数枚の内装ボードを軽量鉄骨下地に張り付けて内装下地を形成する際に遮音性や耐火性の低下を招くことなく内装下地を形成することができる。
【図面の簡単な説明】
【００１１】
【図１】本発明を実施するときに用いられるボード張付け装置の一例を示す側面図である。
【図２】図１に示すボード張付け装置の正面図である。
【図３】図１に示すボード張付け装置の平面図である。
【図４】図３のＡ−Ａ断面を示す図である。
【図５】図３のＢ−Ｂ断面を示す図である。
【図６】図５のＣ−Ｃ断面を示す図である。
【図７】図５のＤ−Ｄ断面を示す図である。
【図８】ボードサイズが６００×１８００ｍｍの内装ボードを軽量鉄骨下地に張り付けた場合の一例を示す図である。
【図９】ボードサイズが９００×１８００ｍｍの内装ボードを軽量鉄骨下地に張り付けた場合の一例を示す図である。
【図１０】ボードサイズが９００×２４００ｍｍの内装ボードを軽量鉄骨下地に張り付けた場合の一例を示す図である。
【図１１】ボードサイズが９００×３６００ｍｍの内装ボードを軽量鉄骨下地に張り付けた場合の一例を示す図である。
【図１２】ボードサイズが９００×４１００ｍｍの内装ボードを軽量鉄骨下地に張り付けた場合の一例を示す図である。
【発明を実施するための形態】
【００１２】
以下、図面を参照して本発明の実施の形態について説明する。
本発明を実施するときに用いられるボード張付け装置の一例を図１〜図７に示す。図１に示されるボード張付け装置１は石膏ボードなどの内装ボードＢを軽量鉄骨下地に張り付けるものであって、ボード吸引保持機構２、ボード位置調整機構１３、ボード押付け機構４、ボード止着機構５および移送台車６を具備している。
【００１３】
ボード吸引保持機構２は内装ボードＢを吸引して保持するものであり、複数個（例えば３個）のボード吸引パッド７と、これらのボード吸引パッド７を内装ボードの長さ方向に複数個ずつ（例えば３個ずつ）保持する左右一対の吸引パッド保持部材８ａ，８ｂ（図２参照）とを有している。
また、ボード吸引保持機構２は保持部材支持フレーム９（図２参照）を有し、この保持部材支持フレーム９により吸引パッド保持部材８ａ，８ｂは内装ボードＢの横幅より狭い間隔で鉛直に且つ互いに平行に支持されている。
【００１４】
ボード位置調整機構３はボード吸引保持機構２に保持された内装ボードＢの位置を調整するものであり、移送台車６の上に搭載された昇降機構１１（図２参照）と、この昇降機構１１により上下方向に駆動される昇降テーブル１２と、昇降テーブル１２の上に搭載された第１のテーブル送り機構１３とを有している。また、ボード位置調整機構３は第１のテーブル送り機構１３により左右方向に送り駆動される第１のスライドテーブル１４（図３参照）を有し、この第１のテーブル送り機構１３は例えば電動モータ１５（図２参照）と、この電動モータ１５により駆動されるボールねじとから構成されている。
【００１５】
さらに、ボード位置調整機構３は第１のスライドテーブル１４の上に搭載されたテーブル回転機構１６（図１参照）と、このテーブル回転機構１６により鉛直な軸回りに回転駆動される回転テーブル１７とを有し、テーブル回転機構１６は例えば電動モータ１８と、この電動モータ１８により減速機を介して鉛直な軸回りに駆動される回転軸１９とから構成されている。
【００１６】
ボード押付け機構４は、ボード吸引保持機構２に保持された内装ボードＢを軽量鉄骨下地に押し付けるものである。このボード押付け機構４は回転テーブル１７の上に搭載された第２のテーブル送り機構２０と、この第２のテーブル送り機構２０により前後方向に送り駆動される第２のスライドテーブル２１とを有し、第２のテーブル送り機構２０は例えば電動モータ２２と、この電動モータ２２により駆動されるボールねじとから構成されている。
【００１７】
また、ボード押付け機構４は第２のスライドテーブル２１の左右側面から水平方向に突出する左右一対のアーム支持軸２３ａ，２３ｂ（図３参照）と、これらのアーム支持軸２３ａ，２３ｂに回動自在に軸支された左右一対のボード押付けアーム２４ａ，２４ｂと、これらのボード押付けアーム２４ａ，２４ｂをアーム支持軸２３ａ，２３ｂの軸回りに駆動する左右一対のボード角度調整用シリンダ２５ａ，２５ｂとを有し、これらのボード角度調整用シリンダ２５ａ，２５ｂを作動させることによってボード吸引保持機構２に保持された内装ボードの角度を任意の角度に調整可能となっている。
【００１８】
さらに、ボード押付け機構４はボード角度調整用シリンダ２５ａ，２５ｂを水平な軸回りに回動自在に支持する左右一対のシリンダ支持軸２６ａ，２６ｂを有し、これらのシリンダ支持軸２６ａ，２６ｂは第２のスライドテーブル２１の左右側面から水平方向に突出している。
ボード止着機構５はボード押付け機構４により軽量鉄骨下地に押し付けられた内装ボードＢを複数個の止め具（例えばボード固定用ねじ、ステープルなど）により軽量鉄骨下地に止着するものであり、複数（例えば４つ）のボード固定ユニット２８（図２参照）を有している。これらのボード固定ユニット２８は、図１に示すように、例えばねじ保持ベルト（図示せず）に保持されたボード固定用ねじを内装ボードにねじ込むエアー式ねじ打機２９と、このエアー式ねじ打機２９を前後方向に進退駆動するエアーシリンダ３０とを有し、ねじ保持ベルトはねじ保持ベルト収納ケース３１にロール状に収容されている。
【００１９】
また、ボード止着機構５はボード固定ユニット２８を左右方向に一定間隔で支持するユニット支持台３２（図２参照）と、このユニット支持台３２を上下方向にガイドする左右一対のガイドレール３３ａ，３３ｂと、これらのガイドレール３３ａ，３３ｂを鉛直に支持する左右一対のガイドレール支持部材４０ａ，４０ｂ（図３参照）と、ユニット支持台３２をガイドレール３３ａ，３３ｂに沿って上下方向に昇降駆動する支持台昇降機構３４（図２参照）とを有している。この支持台昇降機構３４は例えば保持部材支持フレーム９の上部に固設された電動モータ３５（図１参照）と、電動モータ３５により水平な軸回りに駆動される上部プーリ３６と、上部プーリ３６と対向して保持部材支持フレーム９の下部に回転自在に軸支された下部プーリ３７（図２参照）と、上部プーリ３６と下部プーリ３７との間に掛け渡されたタイミングベルト３８と、タイミングベルト３８と噛み合うピニオンギヤ３９（図２参照）とからなり、ピニオンギヤ３９はユニット支持台３２の背面から水平に突出する支持軸に回転自在に支持されている。
【００２０】
移送台車６はボード吸引保持機構２、ボード位置調整機構３、ボード押付け機構４およびボード止着機構５を内装ボードの貼付け作業現場へ移送するものであり、この移送台車６は自走式となっている。また、移送台車６は４つのアウトリガー４１を有し、これらのアウトリガー４１は移送台車６の左右両側の前部と後部に付設されている。
ボード押付け機構４は、また、第２のスライドテーブル２１と対向して保持部材支持フレーム９に形成されたシリンダ保持枠４３を左右方向に傾動可能に支持する保持枠支持機構４４（図４参照）を有している。この保持枠支持機構４４はシリンダ保持枠４３の内側に配置された保持枠支持部材４６と、この保持枠支持部材４６を左右方向と上下方向に移動不能に固定する複数（例えば６つ）の保持枠支持部材固定用シリンダ４７とを有し、これらの保持枠支持部材固定用シリンダ４７は保持枠支持部材４６の左右側面と下面に対向してシリンダ保持枠４３に保持されている。
【００２１】
また、保持枠支持機構４４は保持枠支持部材４６の上面中央部と対向してシリンダ保持枠４３に保持されたボールホルダ昇降用シリンダ４８と、このボールホルダ昇降用シリンダ４８により上下方向に昇降駆動されるボールホルダ４９と、このボールホルダ４９に回転自在に保持された球状体５０とを有し、シリンダ保持枠４３は球状体５０を支点として左右方向に傾動可能となっている。さらに、保持枠支持機構４４は保持枠支持部材４６を内装ボードと平行に支持する複数(例えば４つ)の球状支持部材４２を有し、これらの球状支持部材４２は保持枠支持部材４６の正面に当接するように保持部材支持フレーム９に固定されている。
【００２２】
ボード押付け機構４は、図６及び図７に示すように、ボード支持機構５１をさらに備えている。このボード支持機構５１はボード吸引保持機構２に保持された内装ボードの中央部を壁下地等の内装下地に対して鉛直な軸回りに回動可能に支持するものであって、保持枠支持部材４４と対向してボード押付けアーム２４ａ，２４ｂの間に架設された連結部材５２と、この連結部材５２と保持枠支持部材４４とを鉛直な軸回りに回動可能に連結する連結軸５３とを有している。
【００２３】
また、ボード支持機構５１は内装ボードを軽量鉄骨下地に押し付ける前の状態にボード吸引保持機構２を戻す戻しばねとしての複数（例えば４つ）のコイルばね５５を有し、これらのコイルばね５５は連結軸５３の両側に配置されている。さらに、ボード支持機構５１はコイルばね５５のばね力を受けるばね受け部材５７ａ，５７ｂと、ばね受け部材５７ａ，５７ｂと連結部材５２との間でコイルばね５５を保持する複数（例えば４つ）のコイルばね保持部材５６とを有し、ばね受け部材５７ａ，５７ｂは連結部材５２と対向してシリンダ保持枠４３に固定されている。
【００２４】
上述したボード張付け装置１を用いて内装ボードＢを軽量鉄骨下地に張り付ける場合は、ボード吸引保持機構２に吸引保持される内装ボードＢとして、ボードサイズが９００×１８００ｍｍ、９００×２４００ｍｍ、９００×２７００ｍｍ、９００×３６００ｍｍ、９００×３８００ｍｍ、９００×４１００ｍｍのうち何れかのものを用いる。そして、例えばボードサイズが９００×２４００ｍｍの内装ボードＢをボード吸引保持機構２により吸引保持した後、内装ボードＢの位置をボード位置調整機構３により調整する。次に、ボード吸引保持機構２に保持された内装ボードＢをボード押付け機構４により軽量鉄骨下地に押し付けた後、ボード止着機構５を作動させ、ボード止着機構５の各エアー式ねじ打機２９から内装ボードＢの所定位置にボード固定ねじをねじ込むと、内装ボードＢが軽量鉄骨下地に張り付けられる。
【００２５】
ボードサイズが６００×１８００ｍｍ、９００×１８００ｍｍ、９００×２４００ｍｍ、９００×３６００ｍｍ、９００×４１００ｍｍの内装ボードを軽量鉄骨下地に張り付けた場合の一例を図８〜図１２に示す。
幅が１８００ｍｍ、高さが４１００ｍｍの軽量鉄骨下地に６００×１８００ｍｍの内装ボードを張り付けて内装下地を形成すると、図８に示すように、全部で１２の継ぎ目６０が内装ボード間に発生する。
【００２６】
一方、幅が１８００ｍｍ、高さが４１００ｍｍの軽量鉄骨下地に９００×１８００ｍｍの内装ボードを張り付けて内装下地を形成すると、図９に示すように、継ぎ目６０の数は７つとなることがわかる。
また、幅が１８００ｍｍ、高さが４１００ｍｍの軽量鉄骨下地に９００×２４００ｍｍの内装ボードを張り付けて内装下地を形成すると、図１０に示すように、継ぎ目６０の数は４つとなることがわかる。
【００２７】
さらに、幅が１８００ｍｍ、高さが４１００ｍｍの軽量鉄骨下地に９００×３６００ｍｍの内装ボードを張り付けて内装下地を形成すると、図１１に示すように、継ぎ目６０の数は４つとなることがわかる。
また、幅が１８００ｍｍ、高さが４１００ｍｍの軽量鉄骨下地に９００×４１００ｍｍの内装ボードを張り付けて内装下地を形成すると、図１２に示すように、継ぎ目６０の数は１つとなることがわかる。
【００２８】
したがって、軽量鉄骨下地に張り付けられる内装ボードＢとして、ボードサイズが９００×１８００ｍｍ、９００×２４００ｍｍ、９００×２７００ｍｍ、９００×３６００ｍｍ、９００×３８００ｍｍ、９００×４１００ｍｍのうち何れかの大判の内装ボードを用いることで、内装ボードＢを軽量鉄骨下地に張り付けたときに内装ボードＢの継ぎ目６０が従来よりも減少するので、軽量鉄骨下地に内装ボードＢを張り付けて内装下地を形成する際に遮音性や耐火性の低下を招くことなく内装下地を形成することができる。
【００２９】
また、軽量鉄骨下地に内装ボードＢを張り付けるボード張付け装置として、内装ボードＢを吸引して保持するボード吸引保持機構２と、ボード吸引保持機構２に保持された内装ボードＢの位置を調整するボード位置調整機構３と、ボード吸引保持機構２に保持された内装ボードＢを軽量鉄骨下地に押し付けるボード押付け機構４と、ボード押付け機構４により軽量鉄骨下地に押し付けられた内装ボードＢを複数の止め具により軽量鉄骨下地に止着するボード止着機構５と、ボード吸引保持機構２、ボード位置調整機構３、ボード押付け機構４およびボード止着機構５を内装ボードＢの張付け作業現場へ移送する移送台車６とを備えたものを用いることで、ボード張り作業者が張り付け位置まで持ち上げることのできない大形の内装ボードであっても軽量鉄骨下地に内装ボードＢを張り付けて内装下地を形成することができる。
【符号の説明】
【００３０】
Ｂ…内装ボード
１…ボード張付け装置
２…ボード吸引保持機構
３…ボード位置調整機構
４…ボード押付け機構
５…ボード止着機構
６…移送台車
７…ボード吸引パッド
８ａ，８ｂ…吸引パッド保持部材
９…保持部材支持フレーム
１１…昇降機構
１２…昇降テーブル
１３…第１のテーブル送り機構
１４…第１のスライドテーブル
１５…電動モータ
１６…テーブル回転機構
１７…回転テーブル
１８…電動モータ
１９…回転軸
２０…第２のテーブル送り機構
２１…第２のスライドテーブル
２２…電動モータ
２３ａ，２３ｂ…アーム支持軸
２４ａ，２４ｂ…ボード押付けアーム
２５ａ，２５ｂ…ボード角度調整用シリンダ
２６ａ，２６ｂ…シリンダ支持軸
２８…ボード固定ユニット
２９…エアー式ねじ打機
３０…エアーシリンダ
３１…保持ベルト収納ケース
３２…ユニット支持台
３３ａ，３３ｂ…ガイドレール
３４…支持台昇降機構
３５…電動モータ
３６…上部プーリ
３７…下部プーリ
３８…タイミングベルト
３９…ピニオンギヤ
４１…アウトリガー
４３…シリンダ保持枠
４４…保持枠支持機構
４６…保持枠支持部材
４７…保持枠支持部材固定用シリンダ
４８…ボールホルダ昇降用シリンダ
４９…ボールホルダ
５０…球状体
５１…ボード支持機構
５２…連結部材
５３…連結軸
５５…戻しばね
５６…戻しばね保持部材
６０…継ぎ目
【図１】
2013068019.tif 000003
【図２】
2013068019.tif 000004
【図３】
2013068019.tif 000005
【図４】
2013068019.tif 000006
【図５】
2013068019.tif 000007
【図６】
2013068019.tif 000008
【図７】
2013068019.tif 000009
【図８】
2013068019.tif 000010
【図９】
2013068019.tif 000011
【図１０】
2013068019.tif 000012
【図１１】
2013068019.tif 000013
【図１２】
2013068019.tif 000014